(57)【特許請求の範囲】
【請求項１】
ケースウエとケースシタとに前後に分離可能なケース内に、マイク及びスピーカ、回路基板、電源トランスが収納され、前記ケースウエに呼び出しを受けて応答操作する通話ボタンの操作部が配置されると共に、前記ケースシタが壁面に固定されるインターホン機器であって、
前記電源トランスを前記ケースの下部に配置すると共に、前記通話ボタンの上部を前記電源トランスの前面に配置し、前記通話ボタンの下部を前記電源トランスの下方まで延設して、前記電源トランスの下部に前記通話ボタンの押下操作を可能とする空間を確保したことを特徴とするインターホン機器。
【請求項２】
前記通話ボタンは前記電源トランスを跨ぐ幅を有すると共に、前記ケースウエを中央部から上下双方に向けて後方に傾斜させて湾曲形成して上下端部のケース厚みを中央部より薄くし、
前記通話ボタンの少なくとも下部周辺の前記ケースウエ前面を、通話ボタンより後方に配置したことを特徴とする請求項１記載のインターホン機器。
【請求項３】
前記ケースシタは、中央に配線を引き込むための配線導入口を有し、前記配線導入口が前記電源トランスの上部に配置されて成ることを特徴とする請求項２記載のインターホン機器。
【請求項４】
前記通話ボタンは、押下操作を受けて回動する回動軸を上端部に有し、前記回動軸を前記電源トランス前面の左右外側に配置したことを特徴とする請求項１乃至３の何れかに記載のインターホン機器。
【発明の詳細な説明】
【技術分野】
【０００１】
本発明はインターホン機器に関し、特に壁面に設置して商用電源から電力の供給を受けるための電源トランスを備えたインターホン機器に関する。
【背景技術】
【０００２】
インターホンは、玄関等に設置した玄関子機と居室に設置した居室親機等の間で呼び出し／通話を実施したり、住戸内に設置したインターホン機器同士の間で呼び出し／通話が実施される。このようなインターホン機器は、通常居室に設置される機器に電源トランスが内蔵されて商用電源から電源の供給を受けて動作するよう構成されている（例えば、特許文献１参照）。
【先行技術文献】
【特許文献】
【０００３】
【特許文献１】特開２００２−３５４０８８号公報
【発明の概要】
【発明が解決しようとする課題】
【０００４】
インターホン機器は、通常壁面に設置されるため、ケースを薄くして壁面からの突出量が小さい方が使い勝手が良いし見た目にも好ましい。しかしながら、電源トランスは立方体形状であるため、インターホン機器に組み込まれる部品の中で最も厚みがあり、インターホン機器のケースはこの電源トランスの厚みにより奥行きが制約を受けて薄くすることができなかった。
この場合、ケースを最も薄くできる構成は電源トランスの前後に何も配置しない構成であるが、そうすると液晶ディスプレイ等を備えて搭載部品の多い機器は、ケース全体を大きくする必要が生じるし好ましい部品配置ができず、デザイン上の制約を受けた。
また、上記引用文献１の構成の場合、操作ボタンの背部に電源トランスのみを配置して、ケースを小型化する工夫が成されている。しかしながら、操作ボタンを電源トランスの前方へ配置することで、その回動軸や押下操作するための空間が電源トランスの前面側に形成されており、電源トランスの厚みに加えてその分の厚みを必要とした。
【０００５】
そこで、本発明はこのような問題点に鑑み、電源トランスを内蔵するインターホン機器であっても、ケース全体を大きくすることなくケースの奥行きを従来より薄くできるインターホン機器を提供することを目的としている。
【課題を解決するための手段】
【０００６】
上記課題を解決する為に、請求項１の発明は、ケースウエとケースシタとに前後に分離可能なケース内に、マイク及びスピーカ、回路基板、電源トランスが収納され、ケースウエに呼び出しを受けて応答操作する通話ボタンの操作部が配置されると共に、ケースシタが壁面に固定されるインターホン機器であって、電源トランスをケースの下部に配置すると共に、通話ボタンの上部を電源トランスの前面に配置し、通話ボタンの下部を電源トランスの下方まで延設して、電源トランスの下部に通話ボタンの押下操作を可能とする空間を確保したことを特徴とする。
この構成によれば、インターホン機器構成要素の中で最も厚みのある電源トランスを通話ボタン背部に配置しても、通話ボタン背部には押下操作を可能とする空間を形成することができ、通話ボタンを電源トランスに密着するよう配置できる。よって、インターホン機器全体の厚みを、電源トランスの厚みに近づけることができる。
また、電源トランスを操作ボタン背部に配置することで、ケース内の他のスペースに、スピーカやディスプレイ等の他の部材を無理なく配置でき、小型化を進めることができるし、デザイン上の自由度も増す。
更に、電源トランスを覆うように通話ボタンを形成すれば、ケース自体の厚みは電源トランスで制限されなくなり、薄く形成することも可能となる。
【０００７】
請求項２の発明は、請求項１に記載の構成において、通話ボタンは電源トランスを跨ぐ幅を有すると共に、ケースウエを中央部から上下双方に向けて後方に傾斜させて湾曲形成して上下端部のケース厚みを中央部より薄くし、通話ボタンの少なくとも下部周辺のケースウエ前面を、通話ボタンより後方に配置したことを特徴とする。
この構成によれば、通話ボタンは電源トランスを跨ぐ幅を備えるため、通話ボタン周辺の少なくとも下部のケース前面を電源トランスより更に後方に配置することが可能となり、インターホン機器全体の厚みを薄く感じさせることができる。
また、最も厚く形成されたケース中央部は電源トランスにより占有されないため、操作ボタンやスピーカ等を配置してもその背部には十分な部品収納空間を有し、設計の自由度が増す。
更に、ケースの上下端部を中央部に対して薄い形状とすることで、全体的に薄く感じさせることができ、デザイン上も好ましい。
【０００８】
請求項３の発明は、請求項２に記載の構成において、ケースシタは、中央に配線を引き込むための配線導入口を有し、配線導入口が電源トランスの上部に配置されて成ることを特徴とする。
この構成によれば、配線導入口はケースの最も奥行きのある中央部に形成されるため、配線導入口を設けてもその前側に部品配置空間を形成でき、設計の自由度が増す。
【０００９】
請求項４の発明は、請求項１乃至３のいずれかに記載の構成において、通話ボタンは、押下操作を受けて回動する回動軸を上端部に有し、回動軸を電源トランス前面の左右外側に配置したことを特徴とする。
この構成によれば、回動軸は、電源トランスを避けて配置されるため、電源トランスとの間に隙間が無くてもスムーズな押下操作が可能であり、通話ボタンに回動軸を設けて滑らかな押下操作を可能としても、インターホン機器の厚みを最小限の厚みにできる。
【発明の効果】
【００１０】
本発明によれば、インターホン機器構成要素の中で最も厚みのある電源トランスを通話ボタン背部に配置しても、通話ボタン背部には押下操作を可能とする空間を設けることができ、通話ボタンを電源トランスに密着するよう配置できる。よって、インターホン機器全体の厚みを電源トランスの厚みに近づけることができる。
また、電源トランスを操作ボタン背部に配置することで、ケース内の他のスペースに、スピーカやディスプレイ等の他の部材を無理なく配置でき、小型化を進めることができるし、デザイン上の自由度も増す。
更に、電源トランスを覆うように通話ボタンを形成すれば、ケース自体の厚みが電源トランスに制限されなくなり、薄く形成することも可能となる。
【図面の簡単な説明】
【００１１】
【図１】本発明に係るインターホン機器の一例を示す斜視図である。
【図２】図１のケースの一部を切り欠いたインターホン機器の斜視図である。
【図３】図１のインターホン機器の側面説明図であり、（ａ）は右側面図、（ｂ）は中央の縦断面を右側面からみた断面説明図である。
【図４】通話ボタンと電源トランスの関係を示し、（ａ）は正面図、（ｂ）は斜視図である。
【図５】図２において、操作ボタンを取り除いた図である。
【図６】電源トランスを組み付けたケースシタの斜視図である。
【発明を実施するための形態】
【００１２】
以下、本発明を具体化した実施の形態を、図面を参照して詳細に説明する。図１，図２は本発明に係るインターホン機器の１つである居室親機を示し、図１は斜視図、図２はインターホンのケース前面の一部を切り欠いたインターホン機器の斜視図である。図１，２において、１はケース、２は図示しない玄関子機のカメラが撮像した来訪者映像や設定内容等を表示するディスプレイ、３は各種操作を行う操作部を構成する操作ボタン、４はマイク、５はスピーカ、６は機器の各部に電源を供給するための電源トランス、７は回路基板である。
【００１３】
ケース１は、蓋状のケースウエ１ａと壁面に固定されるケースシタ１ｂとから成り、前後に分割可能に形成されている。また操作ボタン３は、通話ボタン１１を中心にケース１の下部に配置した第１のボタン群３ａと、ディスプレイ２の表示を操作するメニューボタン等で構成されるケース中央に配置した第２のボタン群３ｂで構成されている。
尚、ディスプレイ２、操作ボタン３、マイク４、スピーカ５、回路基板７は、ケースウエ１ａに組み付けられ、電源トランス６はケースシタ１ｂに組み付けられている。
【００１４】
図３（ａ）は図１のインターホン機器の右側面図、図３（ｂ）は縦断面図を示している。この図３に示すようにケースウエ１ａは中央から上方及び下方に向かって後方に傾斜させて形成され、アーチ形に湾曲形成されている。この結果、中央部が最も前方に張り出し、上下端部のケース厚みが最も薄くなるよう形成されている。
対応するケースシタ１ｂは、ケースウエ１ａの形状に合わせて側面中央部を高く（厚く）、上下端部に行くに従い低く（薄く）形成され、ケースウエ１ａと隙間無く嵌合するよう形成されている。
【００１５】
このように構成された居室親機の構造を、操作ボタン３と電源トランス６の関係を中心に以下説明する。図４は通話ボタン１１と電源トランス６を抜き出した図であり、通話ボタン１１は電源トランス６の前面を跨ぐように配置され、電源トランス６と略同一の幅を有している。具体的にこの居室親機では、通話ボタン１１の幅Ｗ１は電源トランス６の全体の幅より小さいが、電源トランス６の前面部の幅Ｗ２より広く形成している。
また、通話ボタン１１の下部は電源トランス６の下方に延設され、押下操作を受けて電源トランス６の下方に配置した後述するスイッチ素子１３のオン／オフ操作を可能としている。
【００１６】
そして、通話ボタン１１の左右上端には回動軸１２が設けられ、スムーズな押下操作を可能としている。この回動軸１２は、図２に示すように電源トランス６の左右に有する段差により形成された空間を利用して配置され、図示しないケースウエ１ａの軸支部に係合して押下操作による回動を可能としている。
【００１７】
図５はケースウエ１ａの要部に加えて全ての操作ボタン３，３・・を取り除いた居室親機の斜視説明図であり、この図に示すように回路基板７は電源トランス６を露出させる開口部７ａを有し、開口部７ａの下部には第１のボタン群３ａに対応した複数のスイッチ素子１３，１３・・が組み付けられ、上部には第２のボタン群３ｂに対応した複数のスイッチ素子１３，１３・・が組み付けられている。
【００１８】
第１ボタン群３ａは、左右に列設された３個の操作ボタン３，３，３で構成され、上下の長さを合わせて形成され、何れも平坦な操作面を有している。尚、中央に配置された通話ボタン１１は、上述したように電源トランス６に合わせた幅を有し、最も大きな操作ボタン３となっている。
この結果、図１に示すようにアーチ形状に湾曲している第１のボタン群３ａ周囲のケース１の前面は、下端に近づくに従い後方に後退して配置される。逆に、第１のボタン群３ａは下端に近づくほど前方への突出量が大きくなっている。
【００１９】
一方、ケースシタ１ｂの中央には、壁面内に配設された配線を図示しないスイッチボックスを介してケース内に引き込むための配線導入口１４が形成されている。図６はケースシタ１ｂの斜視図であり、図６に示すように中央に配線導入口１４が大きく開口し、電源トランス６はその下方に組み付けられている。
【００２０】
このように、インターホン機器構成要素の中で最も厚みのある電源トランス６を通話ボタン１１の背部に配置しても、電源トランス６の下方まで延設された通話ボタン１１には、背部に押下操作を可能とする空間があるため、通話ボタン１１を電源トランス６に密着するよう配置でき、インターホン機器全体の厚みを、電源トランス６の厚みに近づけることができる。
また、電源トランス６を通話ボタン１１の背部に配置することで、ケース１内の他のスペースに、スピーカ５やディスプレイ２等の他の部材を無理なく配置でき、小型化を進めることができるし、デザイン上の自由度も増す。
更に、ケース１の上下端部を中央部に対して薄い形状とすることで、全体的に薄く感じさせることができ、デザイン上も好ましい。
【００２１】
また、通話ボタン１１は電源トランス６を跨ぐ幅を有することで、通話ボタン１１の周辺のケース前面を電源トランス６より後方に配置することが可能となり、インターホン機器全体の厚みを薄く感じさせることができる。
更に、通話ボタン１１の回動軸１２は、電源トランス６を避けて配置されるし、通話ボタン１１の下部には押下操作を可能とする空間が設けられているため、電源トランス６との間に隙間が無くてもスムーズな押下操作が可能である。
また、最も厚く形成されたケース中央部は電源トランス６に占有されないため、操作ボタン３やスピーカ５等を配置してもその背部には十分な部品収納空間を有し、設計の自由度が増す。加えて、配線導入口１４はケース１の最も奥行きのある中央部に形成されるため、配線導入口１４を設けてもその前側に部品配置空間を形成でき、設計の自由度が増す。
【００２２】
尚、上記実施形態は、玄関子機等と接続されて来訪者と通話するための居室親機の構造を説明したが、商用電源から電力が供給される構成のインターホン機器に対して適用できる構成である。
また、電源トランス６全体を覆うように通話ボタン１１を形成して配置しても良く、この場合ケース厚みは電源トランス６に制限されなくなり、ケースの厚みを電源トランスより薄くすることが可能となる。
【符号の説明】
【００２３】
１・・ケース、１ａ・・ケースウエ、１ｂ・・ケースシタ、３・・操作ボタン、６・・電源トランス、７・・回路基板、１１・・通話ボタン、１２・・回動軸、１３・・配線導入口。
【図１】
0005852451.tif 000002
【図２】
0005852451.tif 000003
【図３】
0005852451.tif 000004
【図４】
0005852451.tif 000005
【図５】
0005852451.tif 000006
【図６】
0005852451.tif 000007